(57)【要約】【課題】簡易な構成で、人の排泄物である大便と小便とを分離することができる便器装置を提供すること。【解決手段】上部に上部開口部１１ｃが形成され下部に下部開口部１１ｄが形成された便鉢１１ｂと、下部開口部１１ｄを塞ぐ開位置と下部開口部１１ｄを開放する閉位置との間を移動可能に配置される開閉部材２０と、を備える便器装置１００であって、開閉部材２０は、該開閉部材２０が閉位置に位置する場合に、便鉢１１ｂの外部に小便を導く小便導出部２２を有する。【選択図】図２
2017066770.tif 000002
【特許請求の範囲】
【請求項１】
上部に上部開口部が形成され下部に下部開口部が形成された便鉢と、
前記下部開口部を塞ぐ閉位置と前記下部開口部を開放する開位置との間を移動可能に配置される開閉部材と、を備える便器装置であって、
前記開閉部材は、該開閉部材が前記閉位置に位置する場合に、前記便鉢の外部に小便を導く小便導出部を有する便器装置。
【請求項２】
小便を貯留する小便タンクと、
小便を前記小便タンクに導く導入部と、を更に備え、
前記開閉部材は、該開閉部材の端部に配置された回動軸を中心に回動可能であり、
前記小便導出部は、前記開閉部材における前記回動軸側に配置され、
前記開閉部材が前記開位置にある場合に、前記小便導出部は、前記導入部を遮蔽する位置に配置される請求項１に記載の便器装置。
【請求項３】
前記回動軸は、前記便器装置を使用する使用者が着座した場合における使用者から視た場合の前方側に配置される請求項２に記載の便器装置。
【請求項４】
前記小便導出部は、前記開閉部材が前記閉位置に位置する場合に、前記開閉部材の端部側に下るように傾斜する請求項１から３のいずれかに記載の便器装置。
【発明の詳細な説明】
【技術分野】
【０００１】
本発明は、便器装置に関する。
【背景技術】
【０００２】
従来、下部に下部開口部が形成された便鉢と、下部開口を開閉可能な開閉部材と、を備える便器装置が知られている（例えば、特許文献１参照）。
特許文献１に記載の便器装置は、開閉部材の下部開口を開閉する動作により、屎尿（人の排泄物である大便び小便）と、洗浄水と、を分離するように構成されている。また、特許文献１に記載の便器装置は、使用者が用便エリアに入った場合にセンサにより検知され、センサからの検知信号に基づいて、開閉部材をモータ等の駆動部により開閉動作させるように構成されている。
【先行技術文献】
【特許文献】
【０００３】
【特許文献１】特開２００６−２９９５６４号公報
【発明の概要】
【発明が解決しようとする課題】
【０００４】
ところで、便器装置において、簡易な構成で、人の排泄物である大便と小便とを分離したいという要望がある。
特許文献１に記載の便器装置においては、センサの検知信号に基づいて制御する制御部や、開閉部材を駆動させるモータ等の駆動部が必要となる。また、特許文献１には、人から排泄された大便と小便とを分離させるための工夫については記載されていない。
【０００５】
本発明は、簡易な構成で、人の排泄物である大便と小便とを分離することができる便器装置を提供することを目的とする。
【課題を解決するための手段】
【０００６】
本発明は、上部に上部開口部が形成され下部に下部開口部が形成された便鉢と、前記下部開口部を塞ぐ閉位置と前記下部開口部を開放する開位置との間を移動可能に配置される開閉部材と、を備える便器装置であって、前記開閉部材は、該開閉部材が前記閉位置に位置する場合に、前記便鉢の外部に小便を導く小便導出部を有する便器装置に関する。
【０００７】
また、小便を貯留する小便タンクと、小便を前記小便タンクに導く導入部と、を更に備え、前記開閉部材は、該開閉部材の端部に配置された回動軸を中心に回動可能であり、前記小便導出部は、前記開閉部材における前記回動軸側に配置され、前記開閉部材が前記開位置にある場合に、前記小便導出部は、前記導入部を遮蔽する位置に配置されることが好ましい。
【０００８】
また、前記回動軸は、前記便器装置を使用する使用者が着座した場合における使用者から視た場合の前方側に配置されることが好ましい。
【０００９】
また、前記小便導出部は、前記開閉部材が前記閉位置に位置する場合に、前記開閉部材の端部側に下るように傾斜することが好ましい。
【発明の効果】
【００１０】
本発明によれば、簡易な構成で、人の排泄物である大便と小便とを分離することができる便器装置を提供することができる。
【図面の簡単な説明】
【００１１】
【図１】本発明の一実施形態に係る便器装置１００を示す斜視図である。
【図２】本発明の一実施形態に係る便器装置１００を側方から視た図である。
【図３】本発明の一実施形態に係る添加剤供給部４０を含む便器装置１００を前方から視た図である。
【図４】本発明の一実施形態に係るフラッパ部材２０を示す斜視図である。
【図５】フラッパ部材２０が閉位置に位置する場合を示す図である。
【図６】フラッパ部材２０が開位置に位置する場合を示す図である。
【図７】フラッパ部材２０が閉位置に位置する場合のフラッパ操作機構部５０の各部材の位置関係を示す図である。
【図８】フラッパ部材２０が開位置に位置する場合のフラッパ操作機構部５０の各部材の位置関係を示す図である。
【発明を実施するための形態】
【００１２】
以下、本発明の便器装置１００の好ましい一実施形態について、図面を参照しながら説明する。なお、本実施形態においては、便器装置１００の便座１２に座った人から視た場合の前後の向きを前後方向という。また、便器装置１００の便座１２に座った人から視た場合の左右の向きを左右方向という。
【００１３】
本実施形態の便器装置１００は、主に、水で便鉢の洗浄を行わない無水方式の便器装置に適用される。なお、本実施形態の便器装置１００は、無水方式の便器装置に適用したが、これに限らず、水で便鉢の洗浄を行う洗浄方式の便器装置に適用してもよい。
【００１４】
本実施形態の便器装置１００は、図１〜図３に示すように、便器１０と、開閉部材としてのフラッパ部材２０と、フラッパ保持部材３０と、添加剤供給部４０と、フラッパ操作機構部５０と、便排出ダクト６０と、導入部としての小便排出ダクト７０と、大便タンク８１と、貯留部としての小便タンク８２と、防虫カバー８３と、を備える。便器１０は、便器本体１１と、この便器本体１１の上部に便器本体１１に対して開閉可能に取り付けられる便座１２及び便蓋１３と、を含んで構成される。
【００１５】
便器本体１１は、上面部材１１ａと、便鉢１１ｂと、を有する。上面部材１１ａと便鉢１１ｂとは、一体的に形成される。
便鉢１１ｂは、上部に上部開口部１１ｃが形成されており、上面が開放された椀状に形成される。便鉢１１ｂの下部には、下部開口部１１ｄが形成されている。
上面部材１１ａは、図１に示すように、便鉢１１ｂの上部において、便鉢１１ｂの上部開口部１１ｃの周縁に沿うように配置され、便器本体１１の側方に延出する。上面部材１１ａは、例えば、トイレ室において、階段部分の上段部分の上面に形成される設置面１０１に取り付けられる。
【００１６】
フラッパ部材２０は、図２に示すように、下部開口部１１ｄの下方に配置される。フラッパ部材２０は、フラッパ保持部材３０に保持される。フラッパ部材２０は、フラッパ保持部材３０がフラッパ回動軸Ｊ２（回動軸）を中心に回動することにより、下部開口部１１ｄを塞ぐ閉位置（図２、図５参照）と、下部開口部１１ｄを開放する開位置（図６参照）と、に移動可能である。フラッパ部材２０が下部開口部１１ｄを開閉可能に構成されることで、便器装置１００は、大便と小便とを分離可能である。
【００１７】
フラッパ保持部材３０の上部には、図２に示すように、ねじ部材３１により、フラッパ部材２０が取り付けられている。フラッパ保持部材３０は、フラッパ保持部材３０の一端部に配置されたフラッパ回動軸Ｊ２を中心に回動可能である。フラッパ回動軸Ｊ２は、便器装置１００を使用する使用者が便座１２に着座した場合における使用者から視た場合の前方側の端部側に配置される。フラッパ保持部材３０がフラッパ回動軸Ｊ２を中心に回動することで、フラッパ部材２０は、閉位置（図５参照）又は開位置（図６参照）に位置するように、フラッパ回動軸Ｊ２を中心に回動する。
【００１８】
フラッパ部材２０は、閉位置（図２、図５参照）に位置された場合に、略水平方向に広がるように形成されており、下部開口部１１ｄを塞ぐ大きさで形成される。フラッパ部材２０は、開位置（図６参照）に位置された場合に、略垂直方向に広がるように形成されている。
【００１９】
フラッパ部材２０は、図４及び図５に示すように、第１傾斜面部２１と、小便導出部としての第２傾斜面部２２と、第１壁部２３ａと、第２壁部２３ｂと、を有する。第１傾斜面部２１及び第２傾斜面部２２は、一体的に連続して形成される。
【００２０】
第１傾斜面部２１は、平面視で、細長の円形状に形成される。第１傾斜面部２１は、フラッパ部材２０が閉位置に位置する場合に、第２傾斜面部２２側が下るように傾斜して延びるように形成される。
【００２１】
第１壁部２３ａは、第１傾斜面部２１の周縁に形成される。第１壁部２３ａは、第１傾斜面部２１の周縁における第２傾斜面部２２に接続される以外の部分において、第１傾斜面部２１の周縁から斜め外側に向けて立設される。
【００２２】
第２傾斜面部２２は、平面視で、長方形状に形成される。第２傾斜面部２２は、第２傾斜面部２２が延びる方向が、第１傾斜面部２１が延びる方向に沿って配置されるように、第１傾斜面部２１の一端側に接続される。第２傾斜面部２２は、フラッパ部材２０におけるフラッパ回動軸Ｊ２（後述）側に配置される。
【００２３】
第２傾斜面部２２は、図５に示すように、フラッパ部材２０が閉位置に位置する場合に、第１傾斜面部２１の傾斜角度よりも大きな傾斜角度で、第１傾斜面部２１とは反対側が、フラッパ部材２０の端部側に下るように傾斜して直線状に延びる。第２傾斜面部２２は、フラッパ部材２０が閉位置に位置する場合に、フラッパ部材２０に溜められた小便を、第２傾斜面部２２の下方側の端部２２ａから、小便排出ダクト７０に導く。
【００２４】
第２壁部２３ｂは、第１壁部２３ａに連続して形成され、第２傾斜面部２２の幅方向の両方の縁部から立設される。第２壁部２３ｂは、第２傾斜面部２２を流れる小便が幅方向の外側に飛び出さないようにガイドする。
【００２５】
以上のように構成されるフラッパ部材２０においては、フラッパ部材２０が閉位置に位置する場合には、図５に示すように、フラッパ部材２０が下部開口部１１ｄを塞いた状態で、フラッパ部材２０は、略水平方向に沿うように配置される。フラッパ部材２０が閉位置に位置する場合には、第１傾斜面部２１、第１壁部２３ａ及び第２壁部２３ｂは、第１傾斜面部２１、第１壁部２３ａ及び第２壁部２３ｂで受けた小便が、第２傾斜面部２２に向かうような傾斜を有している。フラッパ部材２０が閉位置に位置する場合には、第２傾斜面部２２の下方側の端部２２ａは、小便排出ダクト７０（後述）の内部の下方側において、小便排出ダクト７０の小便導入口７２ａに向くように、斜め下方を向いている。これにより、フラッパ部材２０が閉位置に位置する場合には、第２傾斜面部２２は、フラッパ部材２０に溜められた小便を小便導入口７２ａに導く。
【００２６】
また、フラッパ部材２０が開位置に位置する場合には、フラッパ部材２０は、図６に示すように、フラッパ部材２０が閉位置に位置した状態からフラッパ部材２０がフラッパ回動軸Ｊ２を中心に略９０°回動した位置に位置される。フラッパ部材２０は、フラッパ部材２０が下部開口部１１ｄを開放した状態で、略垂直方向に沿うように配置される。フラッパ部材２０が開位置に位置する場合には、第２傾斜面部２２の下り側の端部２２ａは、小便排出ダクト７０（後述）の内部の上方側において、斜め上方を向いている。
【００２７】
このように、フラッパ部材２０が開位置に位置する場合には、フラッパ部材２０の第２傾斜面部２２の下方側の端部２２ａが上方側を向いて配置され、フラッパ部材２０の第２傾斜面部２２は、上部カバー部７１の内部で上下方向に延びた状態で配置される。そのため、フラッパ部材２０の第２傾斜面部２２は、上部カバー部７１の側部開口部７１ａや小便排出ダクト７０の小便導入口７２ａを塞ぐ位置に配置される。つまり、フラッパ部材２０の第２傾斜面部２２は、小便排出ダクト７０を遮蔽する位置に配置される。本実施形態においては、フラッパ部材２０の第２傾斜面部２２における「小便排出ダクト７０を遮蔽する位置」とは、フラッパ部材２０の第２傾斜面部２２が、上部カバー部７１の側部開口部７１ａや小便排出ダクト７０の小便導入口７２ａを塞いで、下部開口部１１ｄから排出された大便を小便排出ダクト７０に導入させないように、小便排出ダクト７０を遮蔽している位置を意味する。
【００２８】
フラッパ操作機構部５０は、図１、図７及び図８に示すように、操作レバー５１と、レバー移動溝部５２と、接続アーム５３と、第１リンク５４と、第２リンク５５と、リンク移動凸部材５６と、フラッパ回動軸部材５７と、を有する。
【００２９】
操作レバー５１は、手動で操作される。操作レバー５１は、図１、図７及び図８に示すように、棒状に形成される。操作レバー５１は、便器本体１１の上面部材１１ａに配置されるレバー移動溝部５２を貫通して、上面部材１１ａから突出するように配置される。操作レバー５１は、レバー移動溝部５２に沿って移動可能である。操作レバー５１の下端部は、接続アーム５３に接続される。
【００３０】
レバー移動溝部５２は、図１に示すように、便器本体１１の上面部材１１ａの右側に配置される。レバー移動溝部５２は、レバーガイド溝５２ａと、レバーロック溝５２ｂと、を有する。レバーガイド溝５２ａ及びレバーロック溝５２ｂは、便器本体１１の上面部材１１ａを貫通して形成される。レバーガイド溝５２ａ及びレバーロック溝５２ｂには、操作レバー５１が挿通して配置される。
【００３１】
レバーガイド溝５２ａは、便器１０の前後方向に直線状に延びる。操作レバー５１をレバーガイド溝５２ａに沿って移動させることで、フラッパ部材２０を開位置又は閉位置に移動可能である。操作レバー５１がレバーガイド溝５２ａの前方側の端部に位置する場合には、フラッパ部材２０は、閉位置に位置する。操作レバー５１がレバーガイド溝５２ａの後方側の端部に位置する場合には、フラッパ部材２０は、開位置に位置する。
【００３２】
レバーロック溝５２ｂは、レバーガイド溝５２ａの前方側の端部から側方に屈曲する。フラッパ部材２０を閉位置で維持するために、操作レバー５１をレバーガイド溝５２ａに移動するように操作することで、レバーロック溝５２ｂおいて操作レバー５１の移動を規制して、フラッパ部材２０の閉位置を機械的に保持できる。
【００３３】
接続アーム５３は、図３、図７及び図８に示すように、操作レバー５１の下端部に接続される。接続アーム５３は、板材により形成され、操作レバー５１の下端部から下方に延出して形成される。
【００３４】
第１リンク５４は、図３に示すように、接続アーム５３の下端部に接続される。第１リンク５４は、板材により形成され、接続アーム５３の下端部から斜め方向に略直線状に延びる。
第１リンク５４は、第１リンク５４の上方側に設けられるリンク回動軸Ｊ１を中心に回動可能である。これにより、操作レバー５１が操作されることで、操作レバー５１及び第１リンク５４は、リンク回動軸Ｊ１を中心に回動する。第１リンク５４の下端側には、左右方向に延びるリンク移動凸部材５６が接続される。
【００３５】
リンク移動凸部材５６は、図３に示すように、一端側には第１リンク５４の下端側が接続され、他端側はフラッパ部材２０側に突出する。リンク移動凸部材５６の他端側は、第２リンク５５の貫通長孔５５ａに挿通される。リンク移動凸部材５６は、第２リンク５５の貫通長孔５５ａに沿って移動可能である。
【００３６】
第２リンク５５は、図３、図７及び図８に示すように、板状に形成され、所定長さ延びる。第２リンク５５には、第２リンク５５が延びる方向に沿って貫通長孔５５ａが形成される。貫通長孔５５ａには、リンク移動凸部材５６が挿通されている。第２リンク５５の一端部は、フラッパ回動軸部材５７に接続されている。
【００３７】
フラッパ回動軸部材５７は、図３に示すように、左右方向に延びる。フラッパ回動軸部材５７は、フラッパ回動軸部材５７の中心軸上に沿って形成されるフラッパ回動軸Ｊ２を中心に回動可能に構成される。フラッパ回動軸部材５７は、フラッパ部材２０をフラッパ回動軸Ｊ２を中心に回動可能である。
【００３８】
フラッパ回動軸部材５７は、一端部が第２リンク５５の一端部に固定して接続され、他端部がフラッパ保持部材３０に固定して接続される。フラッパ回動軸部材５７、第２リンク５５及びフラッパ保持部材３０は、それぞれが相対的に回動不能な状態で固定されている。フラッパ回動軸部材５７、第２リンク５５及びフラッパ保持部材３０は、フラッパ回動軸部材５７がフラッパ回動軸Ｊ２を中心に回動することにより、フラッパ回動軸Ｊ２を中心に一体的に回動する。
【００３９】
以上のように構成されるフラッパ操作機構部５０においては、操作レバー５１が手動で操作されることで、接続アーム５３及び第１リンク５４は、リンク回動軸Ｊ１を中心に回動する。接続アーム５３の下端部に接続されたリンク移動凸部材５６は、第２リンク５５の貫通長孔５５ａに沿って移動する。これにより、第２リンク５５、フラッパ回動軸部材５７及びフラッパ保持部材３０は、フラッパ回動軸Ｊ２を中心に一体的に回動する。よって、フラッパ保持部材３０に保持されたフラッパ部材２０は、フラッパ回動軸Ｊ２を中心に回動して、開位置（図５参照）と閉位置（図６参照）とに移動される。
【００４０】
便排出ダクト６０は、図２に示すように、便器本体１１の下部に接続されている。便排出ダクト６０は、上部便ダクト部６１と、下部便ダクト部６２と、を有する。
【００４１】
上部便ダクト部６１は、図２に示すように、上下の端部が開放した方形筒状に形成される。上部便ダクト部６１の上端部は、便器本体１１の下端部に接続されている。上部便ダクト部６１の下端部は、下部便ダクト部６２の上端部に接続されている。上部便ダクト部６１は、第１上部側方開口部６１ａと、第２上部側方開口部６１ｂと、を有する。
【００４２】
第１上部側方開口部６１ａは、図２に示すように、上部便ダクト部６１における左方に向けて開口する。第１上部側方開口部６１ａは、上部便ダクト部６１の下端部から上方側に半円形状に切り欠かれて形成される。第１上部側方開口部６１ａは、後述する下部便ダクト部６２の下部側方開口部６２ｃに連続する開口である。第１上部側方開口部６１ａ及び下部側方開口部６２ｃは、添加剤導入部６０ａを構成して、添加剤導入部６０ａには、後述する添加剤供給部４０の下部傾斜導入管部４４が接続される。
【００４３】
第２上部側方開口部６１ｂは、図２に示すように、上部便ダクト部６１における前方に向けて開口する。第２上部側方開口部６１ｂには、後述する小便排出ダクト７０の上部カバー部７１が接続される。
【００４４】
下部便ダクト部６２は、下部便ダクト部本体６２ａと、下部側方ダクト６２ｂと、を有する。
【００４５】
下部便ダクト部本体６２ａは、上端部及び下端部が開放した筒状に形成され、下方に向かうにしたがって径が小さくなるように形成される。下部便ダクト部本体６２ａの上端部は、上部便ダクト部６１に接続されている。下部便ダクト部本体６２ａの下端部は、下方に向けて開放している。
【００４６】
下部便ダクト部本体６２ａは、左方に向けて開口する下部側方開口部６２ｃを有する。下部側方開口部６２ｃは、下部便ダクト部本体６２ａの上端部から下方側に半円形状に切り欠かれて形成される。下部側方開口部６２ｃは、上部便ダクト部６１の第１上部側方開口部６１ａに連続して形成される。第１上部側方開口部６１ａ及び下部側方開口部６２ｃは、添加剤導入部６０ａを構成して、添加剤導入部６０ａには、後述する添加剤供給部４０の下部傾斜導入管部４４が接続される。
【００４７】
下部側方ダクト６２ｂは、下部便ダクト部本体６２ａの後方側に接続され、後方に向けて延びている。下部側方ダクト６２ｂにおける下部便ダクト部本体６２ａと反対側の端部は、後方に向けて開口している。下部側方ダクト６２ｂは、室外に連通しており、臭気を換気する配管である。下部側方ダクト６２ｂの端部には、防虫ネット６２ｄが取り付けられている。
【００４８】
大便タンク８１は、大便を貯留する。大便タンク８１は、便排出ダクト６０の下方に、便排出ダクト６０から離間して配置される。大便タンク８１は、便排出ダクト６０を通じて落下される大便を収容する。
【００４９】
防虫カバー８３は、便排出ダクト６０の下部及び大便タンク８１の上部を跨ぐように配置されている。防虫カバー８３は、便排出ダクト６０の内部及び大便タンク８１の内部への虫の侵入を防止する。
【００５０】
小便排出ダクト７０は、小便を便鉢１１ｂの外部に配置される小便タンク８２に導く。小便排出ダクト７０は、便排出ダクト６０と小便タンク８２とを繋ぐ位置に配置される。小便排出ダクト７０は、図２に示すように、上部カバー部７１と、第１屈曲管部７２と、横管部７３と、第２屈曲管部７４と、垂直管部７５と、を有する。
【００５１】
上部カバー部７１は、側部及び下端部が開放した箱状に形成される。上部カバー部７１は、第１屈曲管部７２の上方を覆うように形成される。
上部カバー部７１の側部開口部７１ａは、上部便ダクト部６１の第２上部側方開口部６１ｂに接続される。上部カバー部７１の下端部は、第１屈曲管部７２の上端部に接続される。
【００５２】
第１屈曲管部７２、横管部７３、第２屈曲管部７４及び垂直管部７５は、管状に形成される。
第１屈曲管部７２は、上端部が上部カバー部７１に接続され、便排出ダクト６０から離れる前方側に屈曲し、前方側の端部が横管部７３の一端部に接続されている。
第１屈曲管部７２の上端部には、小便導入口７２ａが形成されている。小便導入口７２ａは、上方に開放する。小便導入口７２ａには、フラッパ部材２０の第２傾斜面部２２により導出された小便が導入される。
【００５３】
横管部７３は、前後方向に所定長さ延びる。横管部７３は、後方側の端部が第１屈曲管部７２の前方側の端部に接続され、前方側の端部が第２屈曲管部７４の後方側の端部に接続される。
【００５４】
第２屈曲管部７４は、後方側の端部が横管部７３の前方側の端部に接続され、下方側に屈曲し、下端部が垂直管部７５の上端部に接続される。
【００５５】
垂直管部７５は、上下方向に延びる。垂直管部７５は、上端部が第２屈曲管部７４の下端部に接続され、下端部が小便タンク８２に接続される。
【００５６】
小便タンク８２は、小便を貯留する。小便タンク８２は、便器本体１１及び小便排出ダクト７０の下方に配置される。
小便タンク８２は、図２に示すように、小便排出ダクト７０の垂直管部７５の下端部に接続されている。小便タンク８２は、フラッパ部材２０の第２傾斜面部２２により導出されて、小便排出ダクト７０を通じて導入された小便を収容する。
【００５７】
添加剤供給部４０は、図１に示すように、便器１０の左方側に配置される。添加剤供給部４０は、便器装置１００により分離された大便に添加剤を添加する。添加剤としては、例えば、おが屑や木材チップ等を主体として構成され、おが屑や木材チップ等に微生物を加えたものが挙げられる。おが屑や木材チップ等により、大便の水分を吸収して、大便の臭気を低減できる。また、微生物により大便の発酵を促進させることができる。このように、添加剤は、水分を吸収し、及び／又は、発酵を促進させるものであればよい。
【００５８】
添加剤供給部４０は、図３に示すように、蓋部材４１と、上端部に添加剤投入口４０ａが形成される導入管部４２と、を有する。
【００５９】
導入管部４２は、添加剤投入口４０ａから投入される添加剤を便鉢１１ｂの下方に向けてガイドする添加剤の通路として機能する。導入管部４２は、上部導入管部４３と、下部傾斜導入管部４４と、を有する。上部導入管部４３及び下部傾斜導入管部４４は、筒状に形成される。
【００６０】
上部導入管部４３は、図３に示すように、便器１０の左方側に離間して配置され、上端部がトイレ室の設置面１０１に取り付けられている。上部導入管部４３は、トイレ室の設置面１０１から下方に向けて所定長さ延びる。上部導入管部４３の上端部には、添加剤投入口４０ａが形成される。添加剤投入口４０ａは、便鉢１１ｂの上部開口部１１ｃとは別の位置に設けられる。つまり、添加剤投入口４０ａは、上部開口部１１ｃを有する便鉢１１ｂの左方側において、トイレ室の設置面１０１に取り付けられる上部導入管部４３の上端部に形成されている。添加剤投入口４０ａには、蓋部材４１が配置される。蓋部材４１は、添加剤投入口４０ａの上端部を塞いで、便鉢１１ｂの下方から上昇する臭気の外部への排出を防止する。
【００６１】
下部傾斜導入管部４４は、図３に示すように、上部導入管部４３の下端部に接続され、上方から下方に向かうにしたがって便器１０の前方側から便排出ダクト６０に近づくように、所定の傾斜角度で、直線状に延びる。下部傾斜導入管部４４の下端部は、便排出ダクト６０の添加剤導入部６０ａ（第１上部側方開口部６１ａ及び下部側方開口部６２ｃ）に接続される。
【００６２】
以上のように構成される添加剤供給部４０は、添加剤投入口４０ａから投入される添加剤を、便排出ダクト６０の添加剤導入部６０ａを介して、大便タンク８１に貯留された大便に対して添加（供給）することができる。そのため、添加剤供給部４０は、上部導入管部４３から添加剤を導入することで、添加剤導入部６０ａを通して、便鉢１１ｂの下部開口部１１ｄよりも下流側において、大便タンク８１に貯留された大便に添加剤を添加（供給）することができる。本実施形態においては、便鉢１１ｂの下部開口部１１ｄよりも下流側は、便鉢１１ｂの下部開口部１１ｄよりも下方の位置である。ここで、便排出ダクト６０における添加剤導入部６０ａ及び第２上部側方開口部６１ｂは、便排出ダクト６０の周壁において、略直交する方向に離間して配置される。そのため、添加剤供給部４０は、添加剤が、便排出ダクト６０の第２上部側方開口部６１ｂに接続される小便排出ダクト７０側に流入しないように、便排出ダクト６０の添加剤導入部６０ａから大便タンク８１に貯留された大便に対して添加することができる。
【００６３】
次に、本発明に係る便器装置１００の動作について説明する。
本発明に係る便器装置１００は、使用者が小便又は大便を排泄する前において、使用者が、小便を排泄するか、大便を排泄するかによって、フラッパ部材２０の位置を閉位置又は開位置に位置させて使用するものである。
【００６４】
まず、使用者が小便を排泄する場合の動作について説明する。使用者が小便を排泄する場合には、使用者は、フラッパ部材２０を閉位置に位置させる。
使用者が小便を排泄する場合には、フラッパ部材２０が閉位置に位置しているかを確認する。フラッパ部材２０が閉位置に位置しているときには、使用者は、フラッパ部材２０をそのままの状態で使用する。一方、フラッパ部材２０が開位置に位置しているときには、使用者は、操作レバー５１を操作して、フラッパ部材２０を閉位置に移動させる。
【００６５】
フラッパ部材２０が閉位置に位置している場合には、図５に示すように、フラッパ部材２０は、下部開口部１１ｄを塞いでおり、大便タンク８１からの臭気がトイレ室に入ることを低減できる。
フラッパ部材２０が閉位置に位置した状態で、使用者は小便を排泄する。これにより、小便は、フラッパ部材２０に溜められ、フラッパ部材２０の第２傾斜面部２２により導かれて、小便排出ダクト７０の小便導入口７２ａに導入される。そして、小便導入口７２ａから導入された小便は、小便排出ダクト７０の第１屈曲管部７２、横管部７３、第２屈曲管部７４及び垂直管部７５を通り、小便タンク８２に移動される。このようにして、フラッパ部材２０に溜められた小便は、小便タンク８２に収容される。
【００６６】
次に、使用者が大便を排泄する場合の動作について説明する。使用者が大便を排泄する場合には、使用者は、操作レバー５１を操作して、フラッパ部材２０を開位置に位置させる。
使用者が大便を排泄する場合には、フラッパ部材２０が開位置に位置しているかを確認する。フラッパ部材２０が開位置に位置しているときには、使用者は、フラッパ部材２０をそのままの状態で使用する。一方、フラッパ部材２０が閉位置に位置しているときには、使用者は、操作レバー５１を操作して、フラッパ部材２０を開位置に移動させる。
【００６７】
フラッパ部材２０を閉位置から開位置に移動させると、図６に示すように、フラッパ部材２０は、人が便座１２に着座したときの人の前側のフラッパ回動軸Ｊ２を中心に回動して、人が便座１２に着座したときの人の前側に、略水平に沿うように配置される。また、フラッパ部材２０の第２傾斜面部２２は、上部カバー部７１の側部開口部７１ａや小便排出ダクト７０の小便導入口７２ａを塞ぐ位置に配置され、小便排出ダクト７０を遮蔽する。
【００６８】
フラッパ部材２０が開位置に位置した状態で、使用者は大便を排泄する。これにより、大便は、便鉢１１ｂ及び便排出ダクト６０を通して、大便タンク８１に落下される。
フラッパ部材２０が開位置に位置した状態では、図６に示すように、フラッパ部材２０が小便排出ダクト７０を遮蔽する位置に配置されるため、下部開口部１１ｄから排出された大便が、小便排出ダクト７０から小便タンク８２に入ることが抑制される。また、フラッパ回動軸Ｊ２は、便器装置１００を使用する使用者が便座１２に着座した場合における使用者から視た場合の前方側に配置される。そのため、フラッパ部材２０が開位置に位置する場合に、フラッパ部材２０は、略水平に沿うように配置された状態で、使用者の前方側に退避する。これにより、フラッパ部材２０が開位置に位置する場合に、フラッパ部材２０が使用者の前方側に退避するため、フラッパ部材２０が使用者の後方側に退避するよりも、使用者の大便や大便の飛沫がフラッパ部材２０に付着することが低減される。
【００６９】
そして、大便を排泄後に、使用者は、操作レバー５１を操作して、フラッパ部材２０を閉位置に移動させる。その後、使用者は、添加剤供給部４０（図３参照）から蓋部材４１を外して、所定量の添加剤を、添加剤供給部４０の導入管部４２から投入する。これにより、大便タンク８１に収容された大便に対して、便排出ダクト６０の側面の添加剤導入部６０ａから、添加剤を添加することができる。
【００７０】
以上説明した本実施形態の便器装置１００によれば、以下のような効果を奏する。
【００７１】
本実施形態の便器装置１００は、上部に上部開口部１１ｃが形成され下部に下部開口部１１ｄが形成された便鉢１１ｂと、下部開口部１１ｄを塞ぐ閉位置と下部開口部１１ｄを開放する開位置との間を移動可能に配置されるフラッパ部材２０と、を備える便器装置１００であって、フラッパ部材２０は、フラッパ部材２０が閉位置に位置する場合に、便鉢１１ｂの外部に小便を導く第２傾斜面部２２を有する。
【００７２】
そのため、フラッパ部材２０が閉位置に位置する場合に、フラッパ部材２０に溜められた小便は、第２傾斜面部２２により小便排出ダクト７０に導かれる。これにより、小便が大便タンク８１側に流れることが低減される。従って、簡易な構成で、大便と小便とを分離することができる。
また、フラッパ部材２０は、閉位置に位置する場合に、下部開口部１１ｄを塞いでおり、大便タンク８１からの臭気がトイレ室に入ることを低減できる。
【００７３】
また、本実施形態の便器装置１００においては、フラッパ部材２０は、フラッパ部材２０の端部に配置されたフラッパ回動軸Ｊ２を中心に回動可能であり、第２傾斜面部２２は、フラッパ部材２０におけるフラッパ回動軸Ｊ２側に配置され、フラッパ部材２０が開位置にある場合に、フラッパ部材２０の第２傾斜面部２２は、上部カバー部７１の側部開口部７１ａや小便導入口７２ａを塞ぎ、小便排出ダクト７０を遮蔽する位置に配置される。
そのため、フラッパ部材２０が開位置に位置した状態で、使用者が大便を排泄した場合に、下部開口部１１ｄから排出された大便が、小便排出ダクト７０から小便タンク８２に入ることが抑制される。
【００７４】
また、本実施形態の便器装置１００においては、フラッパ回動軸Ｊ２は、便器装置１００を使用する使用者が着座した場合における使用者から視た場合の前方側に配置される。そのため、フラッパ部材２０が開位置に位置する場合に、フラッパ部材２０は使用者の前方側に退避する。これにより、フラッパ部材２０が使用者の後方側に退避するよりも、使用者の大便や大便の飛沫がフラッパ部材２０に付着することが低減される。
【００７５】
また、本実施形態の便器装置１００においては、第２傾斜面部２２は、フラッパ部材２０が閉位置に位置する場合に、フラッパ部材２０の端部側に下るように傾斜する。そのため、第２傾斜面部２２を傾斜させるだけの簡易な構成で、小便タンク８２に向けて小便を導出させることができる。
【００７６】
また、本実施形態の便器装置１００は、添加剤が投入される添加剤投入口４０ａを有する添加剤供給部４０を備え、添加剤投入口４０ａは、便鉢１１ｂの上部開口部１１ｃとは別の位置に設けられる。そのため、添加剤は、便鉢１１ｂの上部開口部１１ｃとは別の位置に設けられる添加剤投入口４０ａから投入される。これにより、添加剤は、便鉢１１ｂの表面に付着することが抑制される。特に無水方式の便器装置１００においては、排泄後において便鉢１１ｂの表面に水を流さないため、添加剤投入口４０ａから添加剤を投入して、便鉢１１ｂの表面をきれいに保つことができるという本発明の効果は大きい。
【００７７】
以上、本発明の便器装置１００の好ましい一実施形態について説明したが、本発明は、上述した実施形態に制限されるものではなく、適宜変更が可能である。
例えば、前記実施形態においては、導入部を小便排出ダクト７０により構成したが、これに限られない。例えば、導入部を、小便タンク８２の上面に直接形成される開口としてもよい。
【符号の説明】
【００７８】
１１  便器本体
１１ｃ  上部開口部
１１ｂ  便鉢
１１ｄ  下部開口部
１２  便座
２０  フラッパ部材（開閉部材）
２２  第２傾斜面部（小便導出部）
４０  添加剤供給部
７０  小便排出ダクト（導入部）
８２  小便タンク
１００  便器装置
Ｊ２  フラッパ回動軸（回動軸）
【図１】
2017066770.tif 000003
【図２】
2017066770.tif 000004
【図３】
2017066770.tif 000005
【図４】
2017066770.tif 000006
【図５】
2017066770.tif 000007
【図６】
2017066770.tif 000008
【図７】
2017066770.tif 000009
【図８】
2017066770.tif 000010